(57)【特許請求の範囲】
【請求項１】
片面に櫛歯が分散立設された櫛台座部と、前記櫛台座部から一方向に延設された櫛柄部と、により構成される櫛本体を有し、前記櫛歯に毛髪矯正剤を付着させ、所望の毛髪を梳くことにより、毛髪矯正剤を塗布し、毛髪矯正を行う毛髪矯正用器具において、
毛髪を挟んで延伸するための挟持部を備えると共に、
前記櫛柄部の前記櫛本体とは反対の端に設けられた連結部に、
前記挟持部を、前記櫛本体の櫛歯が分散立設した面とは反対の面に対向するように接続して、前記櫛本体に対して前記挟持部を開閉可能とし、
更に、前記挟持部に対向する前記櫛本体の面及び前記櫛本体に対向する前記挟持部の面の内、一方の面に複数の凸条を形成すると共に、他方の面を、前記一方の面に対して噛合可能な位置に複数の凸条を有した形状とすることで、前記挟持部に対向する前記櫛本体の面と前記櫛本体に対向する前記挟持部の面の各々を、前記連結部から前記櫛柄部方向に延びた軸方向に対して垂直な方向に、凹凸状に形成すると共に、前記櫛本体と前記挟持部とを、互いに噛合可能に構成してなること
を特徴とする毛髪矯正用器具。
【請求項２】
前記櫛歯は、前記櫛台座部の縁端から中央方向に従って、短くなるように立設されていることを特徴とする請求項１に記載の毛髪矯正用器具。
【請求項３】
前記挟持部の前記櫛本体と対向する面とは反対の面に、櫛歯を分散立設したことを特徴とする請求項１又は請求項２に記載の毛髪矯正用器具。
【請求項４】
前記櫛本体及び前記挟持部の少なくとも一方の前記連結部とは反対側の端部には、毛髪を掬って該櫛本体と該挟持部との間へ導くための案内棒が設けられていることを特徴とする請求項１〜請求項３のいずれかに記載の毛髪矯正用器具。
【請求項５】
前記連結部は、ヒンジで構成されていることを特徴とする請求項１〜請求項４のいずれかに記載の毛髪矯正用器具。
【請求項６】
前記櫛本体と前記挟持部と前記連結部とを、合成樹脂で一体成形したことを特徴とする請求項１〜請求項５のいずれかに記載の毛髪矯正用器具。
【発明の詳細な説明】
【０００１】
【発明の属する技術分野】
本発明は、半固体状の毛髪矯正剤を用いた毛髪矯正用器具に関する。
【０００２】
【従来の技術】
従来より、毛髪をストレートに矯正するには、美容室で専門員に施してもらわなければならず、費用の面で消費者に負担が非常に大きくて、気軽にできるものではなかった。そのため、家庭でできて、安価で気軽にできる毛髪矯正方法が社会的に要請されてきており、現在のところ、家庭でできる毛髪矯正方法として、熱処理により毛髪を矯正する方法や、毛髪矯正剤（以下、薬剤ともいう）を毛髪に塗布する事により矯正する方法が普及している。
【０００３】
ここで、熱処理による毛髪矯正は、毛髪を加熱することにより、毛髪の組織の結合を切断し、毛髪を軟化させて、その加熱とともに、毛髪を引っ張ることにより隣接する組織の結合のずれを矯正し、その後に、毛髪の組織を再結合させることで、毛髪を矯正する方法である。一般に、熱処理による毛髪矯正は、その加熱操作と毛髪を引っ張る操作を、ヘアーアイロンを用いて実現するものである。
【０００４】
一方、薬剤を使用した毛髪矯正は、薬剤塗布の操作を伴うもので、１つ又は２つの薬剤を毛髪に塗布することにより、毛髪を矯正する方法である。
主に薬剤は半固体状に形成され、毛髪の組織の結合を切断したり再結合させる働きを持つ。そのため、薬剤を毛髪に塗布し、張力をかけて毛髪を伸ばす操作（以下、毛髪に張力をかけて、毛髪を伸ばす操作を延伸操作とも表現する。）を行うと、毛髪の組織の結合のずれを矯正することができ、見た目にもストレートな毛髪へと矯正される。通常、この薬剤塗布の操作と、延伸操作は、素手又は手袋をはめて塗布するか、あるいは櫛やヘアブラシ（以下、櫛やヘアブラシの総称として、コームとも表現する）を用いて行う。
【０００５】
【発明が解決しようとする課題】
しかしながら、上記従来技術には、以下のような問題が挙げられる。
まず、熱処理による毛髪矯正で必要とされるヘアーアイロンは、一般に高価で、消費者への負担が小さいとは言い難いものである。また、ヘアーアイロンは電化製品であるため、電源を確保しなければならないし、重量がある点で腕に負担がかかり、使用し辛い。
【０００６】
薬剤を使用した毛髪矯正では、熱処理による毛髪矯正と比較して費用の面で負担が少なくて済み、また、重いヘアーアイロンを使用する必要もないし、電源の確保も必要ない。しかし、一方で、従来の薬剤を使用した毛髪矯正では、以下のような問題があった。
【０００７】
まず、手で直接、薬剤を塗布する場合には、薬剤で手が汚れるのみならず、直接薬剤が手に触れることで手荒れを引き起こしてしまうし、手袋を手にはめて塗布する場合には、薬剤が手に直接触れるのを防ぐことができるが、手の操作感が鈍ることで薬剤が毛髪の一部に偏って塗布され、毛髪全体に均一に薬剤を塗布することが困難になってしまうことである。これは結果として、薬剤が必要以上に塗布されている部位では、薬剤により毛髪が傷つき、少ない部位では、薬剤の作用が有効に働かず、毛髪の矯正の効果が毛髪全体に均一に発揮できないことになる。
【０００８】
コームを用いる場合には、薬剤を載せたコームで所望の毛髪を梳くことにより、薬剤の塗布を行うことになるので、直接手に薬剤が触れて手が荒れる心配もないし、手による塗布に比べれば均一に薬剤を塗布することが可能であるが、一方で、次のような欠点がある。
【０００９】
従来のコームによる延伸操作はコームで毛髪を梳くことにより行われるのであるから、十分な延伸操作を施すためには、コームの歯の間隔を狭く、密にすることで梳く際の毛髪にかかる抵抗を増して、毛髪に十分な張力がかかるようにして延伸操作をしなければならない。しかし、櫛歯が密なコームで毛髪を梳く場合、特に重度の癖毛の場合には、櫛歯に毛髪が引っ掛かり毛髪を傷めてしまうし、櫛歯を疎にすると、毛髪に十分な張力がかからないから、特に毛先まで十分に伸ばすことができなってしまうのである。
【００１０】
尚、このような欠点を補ったものとして、毛髪に張力を掛けやすくするために、櫛歯を立設した面と対向する凹凸状の面を有する板を設け、櫛歯を立設した面と凹凸状の面の間に毛髪を挟んで、引っ張ることができるようにしたコームが存在する。このコームは、十分な張力を毛髪にかけることができ、また、毛先まで延伸操作を行うことができる点で、従来のコームに比べ優れている。しかし、このコームでは、薬剤の塗布操作と毛髪の延伸操作が同時にしかできないため、薬剤がコームから垂れ落ちやすく、塗布しづらいし、薬剤を毛髪全体に均一に塗布することが困難となる。また、その結果、薬剤が必要以上に塗布されている部位で延伸操作をした時に、毛髪が切れてしまうこともあるし、薬剤の塗布が不十分な部位で毛髪を延伸しても、毛髪に無意味な負担をかけることになってしまう。
【００１１】
本発明は、こうした問題に鑑みなされたものであり、毛髪矯正剤による毛髪の損傷を軽減でき、かつ十分に毛髪を延伸して毛髪矯正することのできる毛髪矯正用器具を提供することを目的とする。
【００１２】
【課題を解決するための手段】
かかる目的を達成するため、請求項１に記載の毛髪矯正用器具は、片面に櫛歯が分散立設された櫛台座部と、前記櫛台座部から一方向に延設された櫛柄部と、により構成される櫛本体を有し、前記櫛歯に毛髪矯正剤を付着させ、所望の毛髪を梳くことにより、毛髪矯正剤を塗布し、毛髪矯正を行う毛髪矯正用器具において、毛髪を挟んで延伸するための挟持部を備えると共に、前記櫛柄部の前記櫛本体とは反対の端に設けられた連結部に、前記挟持部を、前記櫛本体の櫛歯が分散立設した面とは反対の面に対向するように接続して、前記櫛本体に対して前記挟持部を開閉可能とし、更に、前記挟持部に対向する前記櫛本体の面及び前記櫛本体に対向する前記挟持部の面の内、一方の面に複数の凸条を形成すると共に、他方の面を、前記一方の面に対して噛合可能な位置に複数の凸条を有した形状とすることで、前記挟持部に対向する前記櫛本体の面と前記櫛本体に対向する前記挟持部の面の各々を、前記連結部から前記櫛柄部方向に延びた軸方向に対して垂直な方向に、凹凸状に形成すると共に、前記櫛本体と前記挟持部とを、互いに噛合可能に構成してなることを特徴とする。
【００１３】
請求項２に記載の毛髪矯正用器具は、請求項１記載の毛髪矯正用器具において、前記櫛歯は、前記櫛台座部の縁端から中央方向に従って、短くなるように立設されていることを特徴とする。
請求項３に記載の毛髪矯正用器具は、請求項１又は請求項２に記載の毛髪矯正用器具において、前記挟持部の前記櫛本体と対向する面とは反対の面に、櫛歯を分散立設したことを特徴とする。
【００１７】
請求項４に記載の毛髪矯正用器具は、請求項１〜請求項３に記載の毛髪矯正用器具において、前記櫛本体及び前記挟持部の少なくとも一方の前記連結部とは反対側の端部には、毛髪を掬って該櫛本体と該挟持部との間へ導くための案内棒が設けられていることを特徴とする。
【００１８】
請求項５に記載の毛髪矯正用器具は、請求項１〜請求項４のいずれかに記載の毛髪矯正用器具において、前記連結部は、ヒンジで構成されていることを特徴とする。
請求項６に記載の毛髪矯正用器具は、請求項１〜請求項５のいずれかに記載の毛髪矯正用器具において、前記櫛本体と前記挟持部と前記連結部とを、合成樹脂で一体成形したことを特徴とする。
【００１９】
【発明の実施の形態】
上記構造を有する本発明の毛髪矯正用器具について、その使用方法とともに各部の作用、効果について以下に説明する。
請求項１に記載の毛髪矯正用器具は、櫛台座部の櫛歯が立設された部位を、主に薬剤を毛髪に塗布するためのコームとして用いることにして、新たに挟持部を設け、櫛本体と挟持部で毛髪を挟持して、毛髪の延伸操作を行えるようにしたことを特徴とする毛髪矯正用器具である。このような構造の毛髪矯正用器具は、毛髪を挟持して延伸操作をできるから、毛髪に十分な張力をかけて延伸することができ、毛髪をしっかり矯正することが可能である。さらに、この毛髪矯正用器具は、薬剤を塗布する機能と毛髪を延伸する機能を、櫛部と挟持部で別々に備えているから、従来の毛髪矯正用器具に比べて、薬剤の垂れ落ちや塗布のムラ等、塗布の際の欠点を抑えることができる。
【００２０】
ここで、本発明の毛髪矯正用器具は、薬剤を用いて毛髪を矯正する際に使用されるものであるので、薬剤を用いた毛髪矯正方法について説明する。
この矯正方法には、一般に、２つの薬剤を使用し、それらを２回に分けて毛髪に塗布する２浴式による矯正方法と、１つの薬剤だけを使用し毛髪に塗布する１浴式による矯正方法がある。上記２浴式による毛髪矯正の場合では、使用者は、最初に毛髪を軟化する作用を有する第１剤を毛髪に塗布し、次に毛髪を矯正した状態で定着させる第２剤を塗布することで毛髪矯正を施す必要がある。また、上記１浴式による毛髪矯正の場合には、使用者は、毛髪を軟化する作用を有する第１剤を毛髪に塗布した後に、薬剤を洗い落として、薬剤で軟化した毛髪を空気酸化で定着させることにより毛髪矯正を行う。
【００２１】
このような矯正方法による本発明の毛髪矯正用器具を用いた毛髪矯正は、以下に記載する第１操作から第１０操作までの手順により行われる。
まず、本発明の毛髪矯正用器具を使用した毛髪矯正の第１操作は、薬剤による毛髪組織の軟化を促進させるために毛髪を霧吹き等で濡らす操作である。
【００２２】
次に、第２操作は、半固体状の第１剤を櫛歯の上に載せた後に、毛髪矯正用器具を用いて、濡らした毛髪を梳き、毛髪に第１剤を塗布する操作である。第１剤を塗布された毛髪は、第１剤の作用により軟化し、組織の結合が切断される。しかし、第１剤は、毛髪を軟化するのみであるので、このままでは毛髪を矯正できない。毛髪をストレートに矯正するには、使用者は軟化した毛髪に物理操作を施し、毛髪組織のズレを矯正しなければならないのである。
【００２３】
そのため、第３操作は、本発明の毛髪矯正用器具の特徴である挟持部を用いて、その挟持部と櫛本体との間に、毛髪を挟持し、毛髪の毛先方向に向けて、毛髪をしごく感覚で、延伸する操作である。尚、毛髪を挟む方向は、連結部から櫛柄部方向に延びた軸に垂直な方向、つまり、長手方向に対して垂直な方向である。
【００２４】
このように挟持部と櫛本体との間に挟持され延伸された毛髪は、第４操作として、その状態で数分〜十数分ほど放置される。さらにその後は、第５操作として、使用者は、毛髪全体を水洗いし、第１剤を毛髪から洗い落とす操作を毛髪に施す。
【００２５】
ここで、２浴式の場合には、第１操作から第５操作までの操作が毛髪に施された後に、使用者は、薬剤を第１剤から第２剤に改めて、第２操作から第５操作と同様の操作である第６操作から第９操作までの操作を同じ手順で毛髪に施す必要がある。第２剤を用いてこのような操作が毛髪に施されると、第２剤により切断された毛髪の組織の結合は再結合され、結果として矯正された状態で毛髪は定着する。この第９操作までを毛髪に施した後、使用者は、第１０操作として、通常のリンスなどを用いて毛髪をすすぐ。このようにすると毛髪の損傷が最小限に抑えられる。
【００２６】
一方、１浴式の場合には、薬剤は１剤のみであるので、第１操作から第５操作までを施された毛髪の組織は、空気酸化により再結合し、毛髪は矯正された状態で定着する。この後に、第１０操作として、使用者は、リンスなどを用いて毛髪をすすぐ。このようにすると、２浴式の場合と同様に、毛髪の損傷は最小限に抑えられる。尚、当然であるが、１浴式の場合には、第６操作から第９操作までは行わない。
【００２７】
以上が本発明の毛髪矯正用器具を用いた毛髪矯正の手順である。このように本発明の毛髪矯正用器具は使用されるから、請求項２に記載の毛髪矯正用器具のように、櫛台座部の縁端に立設した櫛歯の長さに比べ、櫛台座部の中央側の櫛歯の長さを短くして立設すると、上記第２操作、上記第６操作の際に、使用者が、櫛歯が立設した面の中央側に薬剤を沢山載せても、縁端の櫛歯は、薬剤を囲い込むように配置されているから、薬剤の垂れ落ちを防ぐことができる。また、中央側に載せた薬剤が縁端の櫛歯の頂点より上に盛り上がらない程度であれば、毛髪矯正用器具は、毛髪の根元や、頭皮に薬剤が付着するのを抑えて、頭皮が荒れたり、根元から毛髪が切れるのを防ぐことができる。
【００２８】
尚、櫛歯は、櫛台座部の長手方向に平行な両端から、中央側に向けて短くなるように立設されていてもいいし、櫛台座部の四方の端から中央側に向けて短くなるように立設されていてもよい。
また、請求項３に記載の毛髪矯正用器具のように、挟持部の面のうち、櫛本体と対向する面とは反対の面に、櫛歯が櫛台座部のそれと異なるように立設されていれば、毛髪矯正用器具は、２種類のコームとしての機能を持つことができる。
【００２９】
例えば、片方の櫛歯が、薬剤が垂れにくいような構造となるように立設され、他方の櫛歯が、通常のコームのように立設されていれば、使用者は、片方の櫛歯が立設された部位を、毛髪全体に大雑把に薬剤を塗布するためのコームとして使用することができ、他方の櫛歯が立設された部位を、塗布した薬剤をさらに毛髪全体に均一に伸ばすためのコームとして使用することができるのである。これにより、第２操作、第６操作の際に、薬剤はより均一に毛髪に塗布され、毛髪の損傷が抑えられる。また、片方の櫛歯が疎に立設され、他方の櫛歯が密に立設されていれば、使用者は、片方の櫛歯で毛髪を梳いた後、他方の櫛歯で毛髪を梳くことができるので、梳く際に毛髪が櫛歯に引っかかるのを抑えることができる。
【００３０】
次に、本発明の挟持部と櫛本体の面は、第３操作、第７操作で毛髪を挟持する際に、毛髪矯正の効果が十分に発揮され、且つ毛髪の損傷を最小限に抑えることができるように、加工されている。つまり、本発明では、挟持部に対向する櫛本体の面と櫛本体に対向する挟持部の面の各々を加工して、快適かつ有効な毛髪矯正が施せるようにしている。以下では、櫛本体において加工された面を延伸面、挟持部において加工された面を副延伸面とする。
【００３１】
具体的に、本発明（請求項１記載）の毛髪矯正用器具は、延伸面と副延伸面の各々に凸条が形成されて、延伸面と副延伸面がそれぞれ凹凸状となるように構成されると共に、櫛本体の延伸面と挟持部の副延伸面が互いに噛合するように形成されている。このように面を凹凸状とすると、平面である時に比べ、一度に挟める毛髪の長さを長くできるし、毛髪を挟持する際の圧力が、毛髪を延伸する力として働くので、延伸操作がより効率的に行える。また、使用者は、毛髪矯正用器具の２つの面の間に毛髪を挟持して、しごく感覚で毛髪を延伸することができるから、櫛歯によって塗布された薬剤を毛髪表面にしっかり伸ばすことができる。このようにすると、薬剤は毛髪になじむので、毛髪に薬剤の効果が十分に働き、しかも、過度に薬剤が付着した部分がないので、毛髪の損傷が少ない。
【００３４】
以上は、挟持部の説明であるが、さらに、請求項４に記載の毛髪矯正用器具のように、櫛本体及び挟持部の少なくとも一方の連結部とは反対側の端部に案内棒を設けると、毛髪を挟持する際に、毛髪を案内棒で掬って櫛本体と挟持部との間へ導けるから、手で毛髪をその間へ運ぶ必要がなく、手を汚さないで簡単に延伸操作が可能となる。
【００３５】
また、請求項５に記載の毛髪矯正用器具のように、連結部をヒンジで形成すれば、これを介して櫛本体と挟持部とは連結されるので、使用者は、容易に毛髪を挟持することができる。
尚、請求項６に記載のように櫛本体と挟持部は一体成形されていてもよい。この場合には、毛髪矯正用器具を合成樹脂で安価に生産することが可能となる。
【００３６】
【実施例】
以上に説明した本発明の毛髪矯正用器具の構成、作用を一層明らかにするために、以下に本発明の毛髪矯正用器具の実施例について、図面と共に説明する。
まず、本発明の毛髪矯正用器具の第１実施例について以下に説明する。
【００３７】
図１、図２は第１実施例の毛髪矯正用器具１の構成を表す説明図であり、図１（ａ）は、毛髪矯正用器具１の正面図を、図１（ｂ）は毛髪矯正用器具１のＡ−Ａ’断面図を、図１（ｃ）は毛髪矯正用器具１のＢ−Ｂ’断面である斜視図を、図２は毛髪矯正用器具１の斜視図をそれぞれ示している。
【００３８】
この図１、図２からわかるように、毛髪矯正用器具１は櫛本体３と挟持部５と連結部７とから構成され、櫛本体３は櫛台座部９と櫛柄部１１とから構成されている。
ここで、櫛本体３の櫛台座部９の片面には、櫛歯１３、１５、１５’が立設されており、その配置は図１、図２に示すようになっている。つまり、長手方向に平行な櫛台座部９の両端には、各々の端に沿って一列に櫛歯１３が列立しており、その櫛歯１３は、櫛台座部９の中央から外側に向けて斜めに傾いている。さらに、櫛台座部９の中央側では、両端に立設した櫛歯１３と平行に、それより十分短い櫛歯１５が一列に列立し、その他、櫛台座部９の長手方向に延びた一点鎖線Ｂ−Ｂ’上の両端には、長手方向の櫛台座部９の両端の櫛歯１３に比べて短い櫛歯１５’が、立設されている。
【００３９】
また、櫛本体３の櫛歯１３が立設している面とは反対の面の一部には、延伸面１７ａとして、長手方向に沿って、角のない曲面状の凸条１９が形成されている。尚、この毛髪矯正用器具１では、ちょうど櫛台座部９の櫛歯１３が立設されている面の反対側の面が延伸面１７ａとなっているが、櫛台座部９の面だけが延伸面１７ａとなっていなければならないということはなく、櫛柄部１１の面まで延伸面１７ａとして加工しても構わない。
【００４０】
挟持部５は、連結部７から延伸面１７ａと対向するように連結されており、櫛本体３に対して挟持部５が開閉自在となっている。この挟持部５の面のうち、延伸面１７ａと対向する面には、副延伸面１７ｂとして、延伸面１７ａに噛合するように、曲面状の凸条１９が二つ形成されており、櫛本体３の凸状の延伸面１７ａと挟持部５の凹凸状の副延伸面１７ｂとの間に毛髪を挟んで延伸操作ができるようになっている。尚、噛合する様子は、図１（ｂ）に示す断面図のとおりである。その他、連結部７には、ヒンジが使用され、櫛本体３と挟持部５と連結部７は、一体成形されている。
【００４１】
このような構造をした毛髪矯正用器具１を用いて毛髪矯正を行う場合、櫛台座部９の中央、つまり、短い櫛歯１５の上や櫛歯１５、１５’に囲まれた櫛台座部９の上に半固体状の薬剤を載せて毛髪を梳くと、薬剤による頭皮の荒れや毛髪の損傷を抑えることができる。
【００４２】
これは、例えば、長い櫛歯１３と短い櫛歯１５の差が１ｃｍ程度となるように各櫛歯１３、１５が形成されているとすると、薬剤が頭皮に直接付かない程度の空間が、櫛台座部９の中央と頭皮との間に形成されるからである。このような空間を有する毛髪矯正用器具１を用いれば、毛髪矯正の際に、薬剤が頭皮に付くことはないし、薬剤が根元に付着して毛髪を切断してしまうような事態を防ぐ事ができるので、使用者は、頭皮の荒れや、毛髪の損傷をあまり気にせずに毛髪を矯正することができる。
【００４３】
尚、この効果は、中央の短い櫛歯１５、１５’が櫛台座部９に立設されていなくても、同様に発揮されるから、櫛台座部９の長手方向に平行に位置する両端に、長い櫛歯１３が列立した毛髪矯正用器具１としてもよい。ただし、櫛歯１５、１５’には、薬剤の垂れ落ちを抑える効果もあるから、そのような効果が弱くなってしまうこともある。したがって、逆に、薬剤の垂れ落ちを抑えるには、例えば、毛髪矯正用器具１の櫛歯１５’に隣接して、長手方向とは垂直な方向に、複数の櫛歯１５’を列立すればよい。このような毛髪矯正用器具１であれば、櫛歯１５’は、薬剤に対して壁のような作用をして、さらに薬剤の垂れ落ちを抑えることができる。
【００４４】
次に、毛髪矯正用器具１を用いれば、毛髪に延伸操作を施す際に、使用者は、櫛本体３と挟持部５との間に毛髪を挟んで、しごくように、毛髪を引っ張っることができるので、毛先まで毛髪を延伸することができて、毛髪全体に十分な延伸操作を施すことができる。これは、延伸面１７ａと副延伸面１７ｂとの間に、長手方向とは垂直な方向に毛髪を挟持すると、毛髪にかかる圧力が、その方向に毛髪を引っ張る力として毛髪に働くためである。
【００４５】
このように、毛髪矯正用器具１は、毛髪に力を加えて、毛髪を延伸し、組織のずれを直すことができるので、使用者は、櫛本体３と挟持部５を挟持して力いっぱいに延伸操作をしなくても、十分に毛髪をストレートとすることができる。また、毛髪矯正用器具１は、毛髪を、櫛本体３と挟持部５の面で挟持するから、櫛歯１３、１５、１５’で毛髪に塗布された薬剤を、毛髪表面に広げて伸ばすことができて、薬剤を毛髪の細部まで均等になじませ、毛髪損傷を抑えることができる。
【００４６】
以上は、この第１実施例の毛髪矯正用器具１についての説明であるが、ここで、この第１実施例の毛髪矯正用器具１の変形例について説明する。
図３は、第１実施例の毛髪矯正用器具１の変形例の構成を示す説明図であり、挟持部５の他面に櫛歯２３を設けた毛髪矯正用器具２１の構成を表す斜視図である。
【００４７】
この毛髪矯正用器具２１は、第１実施例の毛髪矯正用器具１において、挟持部５の面のうち、櫛本体３に対向する面とは反対の面の一部に、櫛歯２３を立設し、さらに、櫛本体３と挟持部５の連結部７とは反対側の端部の外縁に、毛髪を掬って櫛本体３と挟持部５との間へ導くための案内棒２５を立設したものである。つまり、この挟持部５の副延伸面１７ｂとは反対の面には、通常のヘアブラシのように、ほぼ同じ形状、長さの櫛歯２３が等間隔に分散して立設され、そして、案内棒２５は、棒状で、その先端が細くなるように形成され、それぞれ櫛本体３と挟持部５の長手方向に平行となるように立設されている。
【００４８】
このような毛髪矯正用器具２１を用いれば、使用者は、薬剤を毛髪に塗布する段階で、櫛台座部９の櫛歯１３、１５、１５’と挟持部５の櫛歯２３とを、それぞれ塗布の第１段階と第２段階に分けて使い分けることができるので、より塗布を良好に行うことができる。つまり、使用者は、塗布の第１段階として、薬剤を多く載せることのできる櫛台座部９の上に薬剤を載せて、毛髪を梳くことにより、薬剤を大雑把に毛髪全体に塗布することができて、さらに、塗布の第２段階として、挟持部５の櫛歯２３で毛髪を梳くことにより、薬剤をムラなく均一に塗布することができるのである。
【００４９】
また、使用者は毛髪を櫛本体３と挟持部５で挟持する際に、案内棒２５を使用して毛髪を掬うことができるので、毛髪を簡単に櫛本体３と挟持部５との間へ導くことができるし、両側に案内棒２５があるから、延伸操作の際に、それらを手で挟持することによって、毛髪を櫛本体３と挟持部５で強く挟持することができる。したがって、延伸操作が簡単にできて操作にかかる時間を短縮することができるし、さらに、毛髪矯正の効果も一層向上する。尚、毛髪矯正用器具２１では、案内棒２５を櫛本体３と挟持部５とに設けたが、必ずしも両方に設ける必要はなく、どちらか一方だけに設けてもよい。
【００５０】
また更に、第１実施例とその変形例の毛髪矯正用器具１、２１の延伸面１７ａと副延伸面１７ｂの形状は、必要に応じて、例えば、図４（ａ）のように変形することもできる。図４（ａ）は、櫛本体３の櫛歯１３が立設した面とは反対の面の全域が、延伸面３３ａとして、平面状に形成され、その面と対向する挟持部５の面の全域が、副延伸面３３ｂとして、平面状に形成された毛髪矯正用器具３１に関する説明図であり、その構成を示す斜視図である。このような構成の毛髪矯正用器具３１は、図４（ｂ）に示す図１（ａ）のＡ−Ａ’に相当する方向の毛髪矯正用器具３１の断面図からも認識できるように、平面で毛髪を挟持することができるから、延伸操作を行う際に、延伸面３３ａ、副延伸面３３ｂ上での毛髪の滑りがよく、薬剤を毛髪の表面にしっかり伸ばしてなじませることができて、毛髪の損傷を抑えることができる。
【００５１】
その他、同様にして、毛髪矯正用器具１、２１の延伸面１７ａと副延伸面１７ｂを、図１のＡ−Ａ’断面が図４（ｃ）となるような形状に変形することもできる。つまり、延伸面３５ａと副延伸面３５ｂのそれぞれに、櫛本体３の長手方向に平行に、角のない曲面状の凸条１９を複数形成して、その表面が櫛本体３の長手方向に垂直な方向（Ａ−Ａ’一点鎖線軸方向）に凹凸状となるようにし、櫛本体３と挟持部５が互いに噛合するように毛髪矯正用器具１、２１を変形してもよい。
【００５２】
このような形状の延伸面３５ａと副延伸面３５ｂに加工された毛髪矯正用器具１、２１は、図１、図２に示す毛髪矯正用器具１、２１に比べて多くの凸条１９が、延伸面３５ａと副延伸面３５ｂに形成できるから、さらに毛髪を矯正する効果が高まり、効率的に毛髪を挟持して延伸操作をすることができるので便利である。
【００５３】
同様にして、毛髪矯正用器具１、２１の延伸面１７ａと副延伸面１７ｂを、図１のＡ−Ａ’断面が図４（ｄ）となるような形状に変形することもできる。つまり、延伸面３７ａと副延伸面３７ｂの各々に、櫛本体３の長手方向に平行に、角のない曲面状の凸条１９を一つだけ形成して、延伸面３７ａと副延伸面３７ｂの凸条１９の頂点で毛髪を挟持できるように毛髪矯正用器具１、２１を変形してもよい。この場合には、毛髪を挟持する面積が小さくなるから、使用者が、毛髪を挟持したときに、力をあまり加えて挟持しなくても、毛髪に大きな圧力をかけて、毛髪の組織のずれを直すことができるので、容易にストレートな毛髪へと矯正することができる。また、このように変形された毛髪矯正用器具１、２１は、毛髪を大きな圧力で挟持しているから、毛髪の表面に塗布された薬剤のうち余分な量の薬剤をそぎ落とせて、毛髪の損傷を軽減することもできる。
【００５４】
次に、第２実施例について説明する。
第２実施例の毛髪矯正用器具４１は、第１実施例の毛髪矯正用器具１に比べて、櫛歯４３、４５が多く立設され、長い櫛歯４３が櫛台座部９の中央側に対して四方を取り囲むように立設されていることを特徴としており、図５にその構成図を示す毛髪矯正用器具４１である。図５（ａ）は、毛髪矯正用器具４１の正面図を、図５（ｂ）は毛髪矯正用器具４１のＸ−Ｘ’端面図を、図５（ｃ）は毛髪矯正用器具４１のＹ−Ｙ’断面を示す斜視図をそれぞれ示している。
【００５５】
櫛本体３の櫛台座部９の片面には、櫛歯４３が立設されており、その配置は図５に示すようになっている。つまり、櫛台座部９の四方の端を結んだ周上に、長さの等しい櫛歯４３が櫛台座部９に対して垂直に立設され、それより短い櫛歯４３は、長い櫛歯４３の内側の周上に立設されている。さらに、櫛台座部９の中央側では、長手方向に平行に、櫛歯４３より十分短い櫛歯４５が３列にわたって、立設されている。
【００５６】
尚、その他の構成要素、つまり、櫛柄部１１、挟持部５、連結部７はすべて図１、図２に示した第１実施例の毛髪矯正用器具１と同様となっており、櫛本体３の櫛歯４３が立設している面とは反対の面の形状も図１、図２に示した毛髪矯正用器具１と同様となっている。
【００５７】
このような構造の毛髪矯正用器具４１は、中央側の櫛歯４５に薬剤を載せると、その周りの長い櫛歯４３が、薬剤を囲い込むから、薬剤が櫛台座部９の縁からはみ出して垂れ落ちるのを抑えることができる。また、薬剤の垂れ落ちの心配が少ないから一度に多くの薬剤を載せて毛髪を梳くことができる。その他、薬剤の垂れ落ちが少なければ、薬剤が落ちて床を汚す心配もなくなるし、さらに、垂れ落ちによる頭皮の荒れや垂れ落ちにより引き起こされる毛髪の損傷の心配もあまりなくなる。また、垂れ落ちが少なくなれば、結果的に、毛髪全体に均一に薬剤を塗布しやすくなって、毛髪矯正を簡単かつ、良好に行うことができる。
【００５８】
尚、櫛歯４５のうち、Ｙ−Ｙ’上の櫛歯４５’を隣接する櫛歯４５に比べて長くしたのは、櫛歯４５’に薬剤を絡まりやすくすることで、薬剤の垂れ落ちをより抑えて、毛髪に薬剤を均一に塗布できるようにするためである。
また、第２実施例の毛髪矯正用器具４１は、櫛台座部９に立設した櫛歯４３、４５の形状、配置を特徴とするものであるから、その変形例として、第１実施例の毛髪矯正用器具１の変形例と同様のものを挙げることができる。たとえば、挟持部５の副延伸面１７ｂとは反対の面に櫛歯２３を立設したり、延伸面１７ａと副延伸面１７ｂの形状を、図４（ｂ）に記載したように、延伸面１７ａ、副延伸面１７ｂの表面が平面状となるように変形してもよいし、図４（ｃ）（ｄ）に記載したように、延伸面１７ａ、副延伸面１７ｂの凸条１９の数を変更することもできる。また、延伸面１７ａと副延伸面１７ｂとして、櫛本体３、挟持部５の一面を加工する場合には、面の一部であってもよいし、面全体を加工してもよい。
【００５９】
以上は、第１実施例と第２実施例の毛髪矯正用器具１、２１、３１、４１についての説明であるが、ここで、本発明の毛髪矯正用器具１、２１、３１、４１に用いられる毛髪矯正剤の処方について説明する。尚、毛髪矯正剤は、その薬剤を使用することによる毛髪の影響の程度により、主に、医薬部外品としての毛髪矯正剤と、化粧品としての毛髪矯正剤とに分類することができるので、以下では、本発明の毛髪矯正用器具１、２１、３１、４１に使用される毛髪矯正剤のうち、医薬部外品として分類されるものを、縮毛矯正剤と呼ぶことにし、化粧品として分類されるもののうち、比較的毛髪矯正効果の強いものをセット剤、効果の弱いものをトリートメント剤と呼ぶことにする。
【００６０】
まず、縮毛矯正剤について以下に説明する。
縮毛矯正剤は、前述の通り、毛髪矯正効果の非常に高い医薬部外品であり、２浴式の縮毛矯正剤と、１浴式の縮毛矯正剤がある。２浴式の縮毛矯正剤は、第１剤に還元剤、アルカリ剤等が配合され、第２剤に酸化剤、安定剤、ｐＨ調整剤等が配合されている。一方、１浴式の縮毛矯正剤は、その配合量に若干の相違があるものの、２浴式の場合の第１剤の配合成分と概ね同じ配合成分で処方されている。前述のように、１浴式は薬剤を１剤しか使用しない毛髪矯正方法であるので、２浴式の場合の第２剤の効果に相当する効果は、空気酸化により得られて、これにより毛髪を定着させることができるようになっている。
【００６１】
この第１剤に配合されるもののうち、還元剤には、主に毛髪のケラチンのジスルフィド結合（Ｓ−Ｓ結合）を切断する作用があり、チオグリコール酸、チオグリコール酸アンモニウム、チオグリコール酸ナトリウム、チオグリコール酸モノエタノールアミンなどのチオグリコール酸塩、グリセリンチオグリコレートなどのチオグリコール酸のエステル、システイン、及びその塩酸塩、Ｎ−アセチル−Ｌ−システインなどのシステイン塩、チオグリセロール、チオ乳酸、チオリンゴ酸、システアミン等のメルカプト化合物、亜硫酸、亜硫酸アンモニウム、亜硫酸ナトリウムなどの亜硫酸塩、亜硫酸水素アンモニウム、亜硫酸水素ナトリウムなどの亜硫酸水素塩、チオ硫酸、チオ硫酸ナトリウムなどのチオ硫酸塩等から選ばれた少なくとも一種が使用される。
【００６２】
還元剤の配合量は、第１剤の全重量に対して０．０１〜１５重量％の配合量とするのがが好ましく、０．０１重量％よりも少ないと毛髪を十分に矯正できない恐れがあり、１５重量％を超えると毛髪を還元しすぎて毛髪の損傷がひどくなる恐れがある。尚、特に好ましいのは、還元剤の配合量を、第１剤に対して１〜１０重量％の配合量とすることである。
【００６３】
次に、第１剤に配合されるアルカリ剤には、アンモニア、アルカノールアミン類（モノエタノールアミン、ジエタノールアミン、トリエタノールアミン等）、有機アミン類（２−アミノ−２−メチル−プロパノール、２−アミノ−２−メチル−プロパンジオール、イソプロパノールアミン、ジイソプロパノールアミン、炭酸グアニジン、塩酸グアニジン、硫酸グアニジン等）、塩基性アミノ酸（アルギニン、リジン等）、無機アルカリ（水酸化ナトリウム、水酸化カリウム、水酸化リチウム等）およびそれらの塩等から選ばれた少なくとも一種が使用される。また、アルカリ剤には、これらを組み合わせた緩衝溶液を使用しても良い。
【００６４】
このアルカリ剤の配合量は、第１剤の全重量に対して０．０１〜１５重量％が好ましく、１５重量％を超えると毛髪損傷がひどくなるので、良くない。尚、アルカリ剤によって、第１剤のｐＨはｐＨ７．５〜９．５に調整される。
次に、毛髪のＳ−Ｓ結合を再形成するための第２剤の配合成分として、以下のものを挙げる。
【００６５】
第２剤に配合されるもののうち、酸化剤には、臭素酸ナトリウム、臭素酸カリウムなどの臭素酸塩、過酸化水素、過ほう酸塩、過炭酸ナトリウム等から選ばれた少なくとも一種が使用される。酸化剤の配合量は、第２剤の全重量に対して０．１〜１５重量％の配合量とするのが好ましく、０．１重量％よりも少ないと十分な酸化効果が得られず毛髪を固着できなくなるし、１５重量％を超えると毛髪の損傷がひどくなる。また、酸化剤の配合量として、特に好ましいのは、第２剤に対して、１〜１０重量％の配合量とすることである。
【００６６】
その他、第２剤に配合されるｐＨ調整剤には、例えば、リン酸、クエン酸、硫酸、酢酸、乳酸、酒石酸及びそれらの塩等が使用される。また、縮毛矯正剤には、これらの成分以外にも以下の添加成分のうちの少なくとも一種を使用し、配合することができる。
【００６７】
例えば、セタノール、ベへニルアルコール等の高級アルコール、バチルアルコール、キミルアルコール等のアルキルグリセリルエーテル、アラビアガム、アルギン酸ナトリウム、キサンタンガム、セルロース誘導体、架橋ポリアクリル酸等の天然又は合成の高分子、脂肪酸等の粘度調整剤、アボカド油、ホホバ油、マカデミアンナッツ油、オリーブ油のグリセライド等の油脂類、ミツロウ、ラノリン等のロウ類、流動パラフィン、固形パラフィン、イソパラフィン、スクワラン等の炭化水素類、ミリスチン酸イソプロピル、ミリスチン酸オクチルドデシル、パルミチン酸イソプロピル等のエステル類、オレイン酸ジエタノールアミド、ラウリン酸ジエタノールアミド等のアミド類、ジメチルポリシロキサン、メチルフェニルポリシロキサン、ポリエーテル変性シリコーン、アミノ変性シリコーン等のシリコーン誘導体、塩化ステアリルトリメチルアンモニウム、ジステアリルジメチルアンモニウム等のカチオン性界面活性剤、ポリオキシエチレンラウリルエーテルサルフェート、ポリオキシエチレンラウリルスルホコハク酸塩などのアニオン性界面活性剤、ラウリルヒドロキシスルホベタイン、ラウリルジメチルカルボベタイン等の両性界面活性剤、ポリオキシエチレンアルキルエーテル、ポリオキシエチレンアルキルフェニルエーテル等の非イオン界面活性剤、ポリビニルピロリドン、ビニルピロリドンと酢酸ビニルとの共重合体等の非イオン性高分子、アクリル酸及び／又はメタクリル酸と（メタ）アクリル酸アルキルエステルとの共重合体等のアニオン性高分子、Ｎ−メタクリロイルエチル−Ｎ，Ｎ−ジメチルアンモニウム−α−Ｎ−メチルカルボキシベタインとメタクリル酸ブチルとの共重合体等の両性高分子、パラベン等の防腐剤、ＥＤＴＡ−Ｎａ等のキレート剤、フェナセチン等の安定化剤、タンパク加水分解物、アミノ酸、その他、植物抽出物、生薬抽出物、ビタミン類、天然色素、香料、顔料、紫外線吸収剤等である。
【００６８】
ここで、本発明の毛髪矯正用器具１、２１、３１、４１で使用される縮毛矯正剤の処方例を以下に記載する。
２浴式の縮毛矯正剤の場合、第１剤は、チオグリコール酸アンモニウム（５０％）を１４．０重量％、モノエタノールアミンを１．５重量％、アンモニア水（２８％）を０．８重量％、ヒドロキシエチルセルロースを０．２重量％、カルボキシビニルポリマーを０．７重量％、塩化セチルトリメチルアンモニウムを０．４重量％、アミノ変性シリコーンエマルジョンを０．４重量％とし、残部を精製水で配合したものである。
【００６９】
第２剤は、臭素酸ナトリウムを８．０重量％、キサンタンガムを０．０５重量％、カルボキシビニルポリマーを２．５重量％、クエン酸を第２剤のｐＨが６．０となる量とし、残部を精製水で配合したものである。
１浴式の縮毛矯正剤は、チオグリコール酸アンモニウム（５０％）を６．０重量％、モノエタノールアミンを１．５重量％、アンモニア水（２８％）を０．８重量％、ヒドロキシエチルセルロースを０．２重量％、カルボキシビニルポリマーを０．７重量％、塩化セチルトリメチルアンモニウムを０．４重量％、アミノ変性シリコーンエマルジョンを０．４重量％とし、残部を精製水で配合したものである。
【００７０】
次に、本発明の毛髪矯正用器具１、２１、３１、４１で使用されるセット剤とトリートメント剤について以下に説明する。
セット剤には、縮毛矯正剤と同様に２浴式のものと、１浴式のものがあり、２浴式の第１剤には亜硫酸等の還元剤とアンモニア、モノエタノールアミン等のアルカリ剤などを配合し、第２剤には臭素酸ナトリウム等の酸化剤、安定剤、ｐＨ調整剤等が配合される。また、１浴式のセット剤は第１剤と概ね同様に配合されており、第２剤に相当する毛髪の定着効果は、毛髪の空気酸化により得られる。このようなセット剤は、縮毛矯正剤と比較して毛髪矯正の効果が弱くなるものの、縮毛矯正剤よりも毛髪の損傷が少なく、また、化粧品として扱うことができるので、商品とする場合、気軽に購入、使用できて便利である。
【００７１】
ここで、一の処方例として挙げるセット剤の第１剤は、亜硫酸ナトリウムを２．０重量％、モノエタノールアミンを１．５重量％、アンモニア水（２８％）を０．８重量％、ヒドロキシエチルセルロースを０．２重量％、カルボキシビニルポリマーを０．７重量％、塩化セチルトリメチルアンモニウムを０．４重量％、アミノ変性シリコーンエマルジョンを０．４重量％とし、残部を精製水で配合したものである。第２剤は、臭素酸ナトリウムを１．０重量％、キサンタンガムを０．０５重量％、カルボキシビニルポリマーを２．５重量％、クエン酸をセット剤のｐＨが６．０となる量とし、残部を精製水で配合したものである。
【００７２】
次に、トリートメント剤は、毛髪の損傷の恐れがなく、気軽に使用できて便利である。このトリートメント剤には、水酸化ナトリウム等のアルカリ剤が配合されている。
一の処方例を挙げると、トリートメント剤は、セタノールを４．０重量％、パルミチン酸イソプロピルを２．０重量％、グリセリンを３．０重量％、水酸化ナトリウムを適量、塩化ステアリルトリメチルアンモニウムを０．８重量％、リン酸ナトリウムをトリートメント剤のｐＨが１１．０となる量とし、残部を精製水で配合したものである。
【００７３】
尚、毛髪矯正で使用される薬剤については、剤型がクリーム状、ジェル状等の半固形状もしくは、フォーム状、粘稠液状のものが使用可能であるが、中でも粘度５００〜５００００ｍＰｓ・ｓの半固形状のものが好ましい。
以上が、本発明の毛髪矯正用器具１、２１、３１、４１を用いた毛髪矯正で使用される薬剤についての説明であるが、毛髪矯正用器具１、２１、３１、４１がこのような薬剤により溶解するのを防止するため、合成樹脂で毛髪矯正用器具１、２１、３１、４１を形成する際には、特に、ポリエチレンやポリプロピレン等を用いて形成する必要がある。
【００７４】
ただし、本発明の毛髪矯正用器具１、２１、３１、４１は、使用する薬剤を上記処方例に示した薬剤に限定しているものではないので、上記処方例以外の薬剤であった場合には、薬剤に合わせて、材質を決定し毛髪矯正用器具１、２１、３１、４１を形成すればよい。
【００７５】
また、材質以外の態様に関しても、本発明の毛髪矯正用器具は、上記実施例に限定されるものではなく、種々の態様を採ることができる。
例えば、本発明の毛髪矯正用器具１の連結部７には、ヒンジを使用し、櫛本体３と挟持部５と連結部７を合成樹脂で一体成形したが、特に一体成形である必要はなく、櫛本体３と挟持部５と連結部７を分解可能として、それらを組み合わせた毛髪矯正用器具１であってもよい。
【００７６】
また、連結部７は、挟持部５が櫛本体３に対して開閉可能となれば、特にその態様は限定されないので、例えば、連結部７にヒンジを用いず、紐等を用いても良い。ただし、その場合には、毛髪を挟持する際に、櫛本体３と挟持部５が簡単にずれるので、良好に毛髪を挟持できないし、操作性も悪化する可能性がある。
【００７７】
その他、本発明の毛髪矯正用器具１、２１、３１、４１の櫛歯は、毛髪に薬剤を塗布することができれば足りるので、櫛歯の形状、配置は、通常のコームと同様の櫛歯の形状であってもよいし、特にその形状を限定するものではない。
【図面の簡単な説明】
【図１】  第１実施例の毛髪矯正用器具１の構成を表す説明図である。
【図２】  第１実施例の毛髪矯正用器具１の構成を表す斜視図である。
【図３】  第１実施例の変形例の毛髪矯正用器具２１の構成を表す斜視図である。
【図４】  第１実施例の毛髪矯正用器具１の挟持部５の変形例の構成を表す説明図である。
【図５】  第２実施例の毛髪矯正用器具４１の構成を表す説明図である。
【符号の説明】
１、２１、３１、４１…毛髪矯正用器具    ３…櫛本体    ５…挟持部
７…連結部    ９…櫛台座部    １１…櫛柄部
１３、１５、１５’、２３、４３、４５、４５’…櫛歯
１７ａ、３３ａ、３５ａ、３７ａ…延伸面
１７ｂ、３３ｂ、３５ｂ、３７ｂ…副延伸面    １９…凸条
２５…案内棒
【図１】
0004428837.tif 000002
【図２】
0004428837.tif 000003
【図３】
0004428837.tif 000004
【図４】
0004428837.tif 000005
【図５】
0004428837.tif 000006